(57)【要約】【課題】テープ巻き開始時における粘着テープの貼り付け面積を充分に確保することが可能なテープ巻き装置を提供する。【解決手段】長尺部材Ｌの長さ方向における一部を間にして対向する一対の対向部２８Ｆ，２８Ｓを有して長尺部材Ｌの周りを回転する回転部２１と、粘着テープ１０のロール部１１を回転自在に保持するテープ保持部２２と、を有し、粘着テープ１０のロール部１１から引き出された引出部１２が一対の対向部２８Ｆ，２８Ｓの内側に配され、回転部２１の回転に伴って長尺部材Ｌの外周面に巻き付けられるようになっており、一対の対向部２８Ｆ，２８Ｓの間の所定の位置に長尺部材Ｌがセットされた場合に長尺部材Ｌの外周面に沿うように湾曲した形状をなす湾曲面３１と、長尺部材Ｌが所定の位置からずれている場合に長尺部材Ｌを押圧して所定の位置に配置する位置調整部３２と、を備えている。【選択図】図６
2018113206.tif 000002
【特許請求の範囲】
【請求項１】
長尺部材の長さ方向における一部を間にして対向する一対の対向部を有して前記長尺部材の周りを回転する回転部と、
粘着テープのロール部を回転自在に保持するテープ保持部と、
を有し、
前記粘着テープのロール部から引き出された引出部が前記一対の対向部の内側に配され、前記回転部の回転に伴って前記長尺部材の外周面に巻き付けられるようになっており、
前記一対の対向部の間の所定の位置に前記長尺部材がセットされた場合に前記長尺部材の外周面に沿うように湾曲した形状をなす湾曲面と、前記長尺部材が前記所定の位置からずれている場合に前記長尺部材を押圧して前記所定の位置に配置する位置調整部と、
を備えているテープ巻き装置。
【請求項２】
前記位置調整部が、前記所定の位置からずれた前記長尺部材に押されることで弾性力を生じる弾性部を備えている請求項１に記載のテープ巻き装置。
【請求項３】
前記弾性部が、金属製の圧縮コイルバネであり、前記位置調整部が、前記圧縮コイルバネの先端部に設けられて、前記長尺部材に当接する合成樹脂製の当接部を備えている請求項２に記載のテープ巻き装置。
【請求項４】
前記回転部が、前記長尺部材の長さ方向における一部を収容可能なＵ字状をなす収容部を備え、前記一対の対向部が前記収容部に設けられており、
前記湾曲面が、前記収容部のうち開放部側に寄った位置に設けられ、前記位置調整部が、前記収容部のうち開放部側とは反対側の奥壁部に設けられている請求項１ないし請求項３のいずれか一項に記載のテープ巻き装置。
【発明の詳細な説明】
【技術分野】
【０００１】
本発明は、テープ巻き装置に関する。
【背景技術】
【０００２】
従来、例えば電線等の長尺部材の周りに粘着テープを螺旋状に巻き付けることが可能なテープ巻き装置が知られている。例えば下記特許文献１に記載のテープ巻き装置は、中心部に電線が導入された状態で電線の周りを回転する回転円盤部材を備えている。回転円盤部材には、電線の一部を間に挟んで保持するガイド部材と、粘着テープのロール部を回転自在に保持する粘着テープ本体保持部材とが設けられている。粘着テープのロール部から引き出されたテープの引出部分は、粘着面を電線側に向けた状態でガイド部材の間に挿入される。テープ巻き装置は、ガイド部材に沿って配された粘着テープの粘着面に、電線を押圧して固着させる電線・テープ固着手段を備えている。
【０００３】
このようなテープ巻き装置を用いたテープの巻き付け作業は以下のとおりである。まず、テープ巻き装置のガイド部材の間に電線を導入した状態にし、電線・テープ固着手段により、電線を粘着テープの粘着面に押圧し、粘着テープの端部に貼り付ける。電線を粘着テープに貼り付けた後、回転円盤部材を回転させると、粘着テープの引出し部分が引っ張られてロール部から繰り出され、電線の外周面に巻き付けられる。
【先行技術文献】
【特許文献】
【０００４】
【特許文献１】特開２０１５−２１０９０５号公報
【発明の概要】
【発明が解決しようとする課題】
【０００５】
ところで、テープ巻き開始時には、粘着テープの端部を充分な粘着力で長尺部材に貼り付けておく必要がある。ロール部から粘着テープを繰り出すときの引張力で、粘着テープの端部が剥離しないようにするためである。テープ巻き開始時における粘着テープの端部の粘着力は、粘着テープを長尺部材の外周面に押し当てる力の大きさと、粘着テープが長尺部材の外周面に押し当てられる面積の大きさとによって決まる。このため、テープ巻き開始時の粘着テープの貼り付け面積を充分に確保することが重要である。しかしながら、上記のような構成のテープ巻き装置では、平坦なガイド部材に沿って配された粘着テープに対し、電線が点当たりのようになる虞があり、テープ巻き開始時の粘着テープの貼り付け面積を充分に確保することが難しいという問題があった。
【０００６】
本発明は上記のような事情に基づいて完成されたものであって、テープ巻き開始時における粘着テープの貼り付け面積を充分に確保することが可能なテープ巻き装置を提供することを目的とする。
【課題を解決するための手段】
【０００７】
本発明のテープ巻き装置は、長尺部材の長さ方向における一部を間にして対向する一対の対向部を有して前記長尺部材の周りを回転する回転部と、粘着テープのロール部を回転自在に保持するテープ保持部と、を有し、前記粘着テープのロール部から引き出された引出部が前記一対の対向部の内側に配され、前記回転部の回転に伴って前記長尺部材の外周面に巻き付けられるようになっており、前記一対の対向部の間の所定の位置に前記長尺部材がセットされた場合に前記長尺部材の外周面に沿うように湾曲した形状をなす湾曲面と、前記長尺部材が前記所定の位置からずれている場合に前記長尺部材を押圧して前記所定の位置に配置する位置調整部と、を備えているものである。
【発明の効果】
【０００８】
本発明によれば、長尺部材が所定の位置からずれている場合には位置調整部に押圧されて所定の位置に配置され、長尺部材の外周面が湾曲面に沿った状態になるから、湾曲面に沿って配された粘着テープの引出部を、長尺部材に面当たりさせることができる。したがって、テープ巻き開始時における粘着テープの貼り付け面積を充分に確保することができる。
【図面の簡単な説明】
【０００９】
【図１】本実施例におけるテープ巻き装置であって、長尺部材にテープを巻き付ける様子を概略的に示す概略図
【図２】長尺部材に装置本体がセットされた状態のテープ巻き装置を示す正面図
【図３】回転部が収容部の開放状態から１２０度回転した状態のテープ巻き装置を示す正面図
【図４】回転部が収容部の開放状態から２４０度回転した状態のテープ巻き装置を示す正面図
【図５】長尺部材が所定の位置からずれた状態を示すテープ巻き装置の一部拡大正面図
【図６】長尺部材が位置調整部に押されて所定の位置に配置された状態を示すテープ巻き装置の一部拡大正面図
【図７】湾曲面に沿って配された粘着テープの引出部が長尺部材の外周面に貼り付けられた状態を示すテープ巻き装置の一部拡大正面図
【発明を実施するための形態】
【００１０】
本発明の好ましい形態を以下に示す。
本発明のテープ巻き装置は、前記位置調整部が、前記所定の位置からずれた前記長尺部材に押されることで弾性力を生じる弾性部を備えているものとしてもよい。
【００１１】
また、本発明のテープ巻き装置は、前記弾性部が、金属製の圧縮コイルバネであり、前記位置調整部が、前記圧縮コイルバネの先端部に設けられて、前記長尺部材に当接する合成樹脂製の当接部を備えているものとしてもよい。このような構成によれば、圧縮コイルバネの先端部が長尺部材に直接接触することを防ぐことができるから、長尺部材を傷つけることを防ぐことができる。
【００１２】
また、本発明のテープ巻き装置は、前記回転部が、前記長尺部材の長さ方向における一部を収容可能なＵ字状をなす収容部を備え、前記一対の対向部が前記収容部に設けられており、前記湾曲面が、前記収容部のうち開放部側に寄った位置に設けられ、前記位置調整部が、前記収容部のうち開放部側とは反対側の奥壁部に設けられているものとしてもよい。このような構成によれば、長尺部材が収容部の奥側に行き過ぎたとしても位置調整部によって開放部側に戻され、長尺部材の外周面が湾曲面に沿った状態になるから、湾曲面に沿って配された粘着テープの引出部を、長尺部材に面当たりさせることができる。
【００１３】
＜実施例＞
以下、本発明を具体化した一実施例について、図１〜図７を参照しつつ詳細に説明する。
本実施例におけるテープ巻き装置Ｍは、長尺部材Ｌの外周面に粘着テープ１０を螺旋状に巻き付けること（スパイラル巻き）が可能な装置である。長尺部材Ｌは、車両に搭載されるワイヤハーネスを構成する各種の部材であり、例えばコルゲートチューブ、金属パイプまたは電線等である。このテープ巻き装置Ｍによれば、例えばスリット入りのコルゲートチューブに粘着テープ１０を巻き付けてスリットの開きを防いだり、オレンジ色の粘着テープ１０を金属パイプに巻き付けて内部に高圧電線が挿通されていることを示したり、複数の電線を粘着テープ１０で束ねたりすることを容易に行うことができる。以下、各構成部材において、図１の上側を上方、下側を下方、左側（テープ巻き開始時に長尺部材Ｌがセットされる側）を左方、右側を右方として説明する。
【００１４】
テープ巻き装置Ｍは、図１に示すように、長尺部材Ｌを略水平に固定する固定手段Ｆと、長尺部材Ｌに沿って長尺部材Ｌの長さ方向に移動可能な装置本体２０と、装置本体２０を移動させる図示しない移動手段とを備えている。テープ巻き装置Ｍは、装置本体２０の移動速度を調整することにより、粘着テープ１０の側縁部同士が所定の幅で重なるようにして粘着テープ１０を巻き付けること（ラップ巻き）ができる。
【００１５】
装置本体２０は、長尺部材Ｌの周りを回転する回転部２１と、粘着テープ１０のロール部１１を回転自在に保持するテープ保持部２２と、回転部２１を支持する回転支持部２３と、を備えている。
【００１６】
回転支持部２３は、図２に示すように、全体として、回転部２１の周囲を囲う枠状をなしている。回転支持部２３の内周面は、円弧状をなし、回転支持部２３の周方向における一部は、内外方向（径方向）に開口する開口部２４とされている。開口部２４は、回転支持部２３の左側に設けられ、水平方向に開口している。開口部２４には、長尺部材Ｌを回転支持部２３の内側へ誘い込み可能な誘い込み部２５が設けられている。誘い込み部２５は、回転支持部２３の径方向外方から内方に向かって次第に開口幅が小さくなるように傾斜している。回転支持部２３は、図２〜図４に示すように、相対的に長尺部材Ｌが回転支持部２３の内周面に沿って変位するように、長尺部材Ｌの周囲を長尺部材Ｌの長さ方向と交差する方向に往復運動するものとされている。
【００１７】
回転部２１は、回転支持部２３の往復運動に伴って、長尺部材Ｌを略中心として回転可能とされている。回転部２１は、長尺部材Ｌの長さ方向の一部を収容可能なＵ字状をなす収容部２６を備えている。
【００１８】
回転部２１は、テープ巻き装置Ｍの初期状態（回転部２１が回転動作を開始する前の状態）には、図２に示すように、収容部２６の開放部２７が左側を向いて回転支持部２３の開口部２４の内側（右側）に位置した状態（開放状態）になる。また、回転部２１は、テープ巻き装置Ｍの作動時には、図２、図３及び図４に示すように、長尺部材Ｌを略中心として反時計周りに回転する。テープ巻き装置Ｍの作動中には、開放状態（図２参照）を除き、収容部２６の開放部２７が回転支持部２３によって塞がれた状態（閉塞状態）になっている（図３及び図４参照）。収容部２６の奥行き（テープ巻き装置Ｍの初期状態における左右方向の寸法）や開放部２７の大きさ（テープ巻き装置Ｍの初期状態における上下方向の寸法）は、長尺部材Ｌの外径寸法に比して大きくされている。これにより、長尺部材Ｌに装置本体２０をセットするセット工程において、収容部２６の内部に長尺部材Ｌを誘い込みやすくされている。
【００１９】
収容部２６は、長尺部材Ｌの長さ方向における一部を間にして対向する一対の対向部２８Ｆ，２８Ｓと、開放部２７とは反対側を塞ぐように設けられた奥壁部２９とを有している。以後、一対の対向部２８Ｆ，２８Ｓのうちテープ巻き装置Ｍの初期状態における下側、言い換えると、回転部２１の回転方向における後側に配される対向部を第１対向部２８Ｆ、その反対側に配される対向部を第２対向部２８Ｓと称する。なお、収容部２６の内周面のうち第２対向部２８Ｓから奥壁部２９にわたる角部は、円弧状をなしている。
【００２０】
収容部２６には、一対の対向部２８Ｆ，２８Ｓの間の所定の位置に長尺部材Ｌがセットされた場合に長尺部材Ｌの外周面に沿うように湾曲した形状をなす湾曲面３１と、長尺部材Ｌが所定の位置からずれている場合に長尺部材Ｌを押圧して所定の位置に配置する位置調整部３２と、が備えられている。湾曲面３１及び位置調整部３２については後ほど詳しく説明する。
【００２１】
奥壁部２９には、収容部２６の内側と外側とに貫通する貫通部３３が設けられている。貫通部３３は、奥壁部２９の下端（テープ巻き装置Ｍの初期状態における下端）に設けられ、第１対向部２８Ｆの上面（テープ巻き装置Ｍの初期状態における上面であって、第２対向部２８Ｓとの対向面）に沿って開口している。第１対向部２８Ｆの上面のうち貫通部３３に連なる部分は、図５に示すように、平坦な平坦面３４とされている。平坦面３４は、テープ巻き装置Ｍの初期状態では略水平に配される。
【００２２】
テープ巻き装置Ｍの初期状態では、図５に示すように、粘着テープ１０のうちロール部１１から引き出された引出部１２は、貫通部３３を通って収容部２６の内側に通され、粘着面を上向きにして第１対向部２８Ｆの上面に載置される。テープ巻き装置Ｍの作動状態では、回転部２１の回転に伴って、引出部１２が長尺部材Ｌの外周面に貼り付けられる。
【００２３】
テープ保持部２２は、図２に示すように、収容部２６の奥壁部２９に隣接して設けられており、図３及び図４に示すように、回転部２１の回転に伴って収容部２６とともに長尺部材Ｌの周りを回動可能とされている。テープ保持部２２は粘着テープ１０のロール部１１を回転可能に保持しており、粘着テープ１０の引出部１２が引っ張られることで、ロール部１１は、ロール部１１の軸心を略中心にして図２の時計回りに回転するようになっている。
【００２４】
さて、湾曲面３１は、図６に示すように、テープ巻き装置Ｍの初期状態において一対の対向部２８Ｆ，２８Ｓの間の所定の位置にセットされた長尺部材Ｌの下面に沿って配される。湾曲面３１は、テープ巻き装置Ｍの初期状態における第１対向部２８Ｆの上面に設けられている。湾曲面３１は、第１対向部２８Ｆの上面のうち開放部２７側に寄った位置に設けられ、全体が緩やかに湾曲している。湾曲面３１は、長尺部材Ｌの外周面に整合した円弧形状をなしている。テープ巻き装置Ｍの初期状態では、湾曲面３１の奥壁部２９側の端が開放部２７側の端よりも若干上側に位置している。
【００２５】
位置調整部３２は、一対の対向部２８Ｆ，２８Ｓのうち開放部２７側とは反対側の奥側に設けられ、所定の位置よりも収容部２６の奥側にずれた長尺部材Ｌを正しい位置に押し戻すようになっている。
【００２６】
位置調整部３２は、長尺部材Ｌが所定の位置からずれた場合に、長尺部材Ｌに押されることで、弾性力を生じる弾性部３５を備えている。弾性部３５は、金属製の圧縮コイルバネであり、軸線を水平に向けた姿勢で奥壁部２９に固定されている。弾性部３５の軸線方向の寸法は、収容部２６の奥行きや長尺部材Ｌの外径寸法等に基づいて決められている。
【００２７】
位置調整部３２は、圧縮コイルバネの先端部に設けられて、長尺部材Ｌに当接する合成樹脂製の当接部３６を備えている。当接部３６は、四角いブロック形状をなしている。当接部３６は、所定位置に配されている長尺部材Ｌに対し、弾性部３５が自然状態であるときに接した状態になる。
【００２８】
次に、本実施例のテープ巻き装置Ｍを使用して、長尺部材Ｌに粘着テープ１０を巻き付ける作業の一例を説明する。
まず、固定手段Ｆによって長尺部材Ｌを水平に固定する長尺部材固定工程を行う。このとき、装置本体２０は、長尺部材Ｌの側方（長さ方向と交差する方向）に離れて待機している。また、装置本体２０の回転部２１は開放状態にセットされ、図２に示すように、収容部２６の開放部２７が長尺部材Ｌと同じ高さ位置に配されて対向している。第１対向部２８Ｆの上面には、粘着テープ１０の引出部１２の端部が載置されている。
【００２９】
次に、長尺部材Ｌに装置本体２０をセットするセット工程を行う。装置本体２０を長尺部材Ｌ側に移動し、開放部２７から収容部２６の内部に長尺部材Ｌを導入する。このとき、長尺部材Ｌが、図５に示すように、所定位置よりも奥側に入り込んでしまった場合には、長尺部材Ｌによって位置調整部３２が押圧され、弾性部３５が弾性的に縮んだ状態になる。そして、長尺部材Ｌは、弾性部３５が元の寸法に戻ろうとする力（弾性力）によって開放部２７側に押し戻され、所定の位置に配置される（図６参照）。
【００３０】
次に、長尺部材Ｌに粘着テープ１０の端部を固着するテープ固着工程を行う。位置調整部３２によって所定の位置に配置された長尺部材Ｌの外周面に、湾曲面３１に配された引出部１２の端部を貼り付ける（図７参照）。ここで、図５に示すように、長尺部材Ｌが所定位置よりも奥側にずれている場合には、湾曲面３１と平坦面３４との間の境界部分が長尺部材Ｌに当接することになる。このため、粘着テープ１０の引出部１２が長尺部材Ｌの外周面に対し点当たりのようになって、粘着テープ１０の貼り付け面積が不十分になる虞がある。しかしながら、本実施例のテープ巻き装置Ｍによれば、位置調整部３２によって長尺部材Ｌは所定の位置に配置されるから、図７に示すように、湾曲面３１が長尺部材Ｌの外周面に面当たりする。これにより、粘着テープ１０の全幅を、十分な長さ寸法にわたって長尺部材Ｌの外周面に貼り付けることができ、もって、テープ巻き開始時に、引出部１２に作用する引張力（繰り出し力）によって引出部１２の端部が剥がれてしまうことを防ぐことができる。粘着テープ１０の繰り出し力は、使用環境下の気温や引出部１２を繰り出す速度（回転部２１の回転速度）等によって変動するため、テープ巻き開始時に必要な貼り付け面積の大きさは適宜調整する必要がある。なお、粘着テープ１０の貼り付け作業（湾曲面３１を長尺部材Ｌの外周面に押し当てる作業）は、第１対向部２８Ｆを上昇、または第２対向部２８Ｓを下降することによって行ったり、回転部２１を回転させて第１対向部２８Ｆを長尺部材Ｌに押し付けること等によって行うことができる。
【００３１】
次いで、長尺部材Ｌにテープを巻き付けるテープ巻付工程を行う。移動手段によって装置本体２０を長尺部材Ｌの周りで往復運動させつつ、長尺部材Ｌの長さ方向に移動させ、粘着テープ１０を長尺部材Ｌの外周面に螺旋状に巻き付ける。長尺部材Ｌの所定長さ範囲にわたって粘着テープ１０が巻き付けられたら、テープ巻き装置Ｍを止める。
以上により、長尺部材Ｌに粘着テープ１０を巻き付ける作業が完了する。
【００３２】
次に、上記のように構成された実施例の作用および効果について説明する。
本実施例におけるテープ巻き装置Ｍは、長尺部材Ｌの長さ方向における一部を間にして対向する一対の対向部２８Ｆ，２８Ｓを有して長尺部材Ｌの周りを回転する回転部２１と、粘着テープ１０のロール部１１を回転自在に保持するテープ保持部２２と、を有し、粘着テープ１０のロール部１１から引き出された引出部１２が一対の対向部２８Ｆ，２８Ｓの内側に配され、回転部２１の回転に伴って長尺部材Ｌの外周面に巻き付けられるようになっており、一対の対向部２８Ｆ，２８Ｓの間の所定の位置に長尺部材Ｌがセットされた場合に長尺部材Ｌの外周面に沿うように湾曲した形状をなす湾曲面３１と、長尺部材Ｌが所定の位置からずれている場合に長尺部材Ｌを押圧して所定の位置に配置する位置調整部３２と、を備えているものである。
【００３３】
この構成によれば、長尺部材Ｌが所定の位置からずれている場合には、位置調整部３２に押圧されて所定の位置に配置され、長尺部材Ｌの外周面が湾曲面３１に沿った状態になるから、湾曲面３１に沿って配された粘着テープ１０の引出部１２を、長尺部材Ｌに面当たりさせることができる。したがって、テープ巻き開始時における粘着テープ１０の貼り付け面積を充分に確保することができる。
【００３４】
また、位置調整部３２が、所定の位置からずれた長尺部材Ｌに押されることで弾性力を生じる弾性部３５を備え、弾性部３５が、金属製の圧縮コイルバネであり、位置調整部３２が、圧縮コイルバネの先端部に設けられて、長尺部材Ｌに当接する合成樹脂製の当接部３６を備えている。この構成によれば、圧縮コイルバネの先端部が長尺部材Ｌに直接接触することを防ぐことができるから、長尺部材Ｌを傷つけることを防ぐことができる。
【００３５】
また、回転部２１が、長尺部材Ｌの長さ方向における一部を収容可能なＵ字状をなす収容部２６を備え、一対の対向部２８Ｆ，２８Ｓが収容部２６に設けられており、湾曲面３１が、収容部２６のうち開放部２７側に寄った位置に設けられ、位置調整部３２が、収容部２６のうち開放部２７側とは反対側の奥壁部２９側に設けられている。この構成によれば、長尺部材Ｌが収容部２６の奥側に行き過ぎたとしても位置調整部３２によって開放部２７側に戻され、長尺部材Ｌの外周面が湾曲面３１に沿った状態になるから、湾曲面３１に沿って配された粘着テープ１０の引出部１２を、長尺部材Ｌに面当たりさせることができる。
【００３６】
＜他の実施例＞
本発明は上記記述及び図面によって説明した実施例に限定されるものではなく、例えば次のような実施例も本発明の技術的範囲に含まれる。
（１）上記実施例では、粘着テープ１０の引出部１２が第１対向部２８Ｆに載置されているが、これに限らず、例えば粘着テープの引出部は第２対向部に載置してもよく、この場合には回転部の回転方向を上記実施例と逆方向にし、湾曲面を、第２対向部の下面に形成してもよい。
（２）上記実施例では、弾性部３５が金属製の圧縮コイルバネとされているが、これに限らず、弾性部３５は、例えばゴム材料からなるもの、または収容部内に片持ち状もしくは両持ち状に形成されて、所定の位置からずれた長尺部材によって押されることで弾性変位することが可能なもの等としてもよい。
（３）上記実施例では、テープ巻き装置Ｍが、装置本体２０を移動させる移動手段を備えているが、これに限らず、例えばテープ巻装置が移動手段を備えず、装置本体の移動を手動で行うものとしてもよい。
（４）上記実施例では、湾曲面３１が第１対向部２８Ｆに設けられ、位置調整部３２が奥壁部２９に設けられているが、これに限らず、湾曲面及び位置調整部の位置は適宜変更することができ、収容部の内周面の任意の部位に湾曲面を形成し、それに応じた位置に位置調整部を設けることができる。
【符号の説明】
【００３７】
Ｌ…長尺部材
Ｍ…テープ巻き装置
１０…粘着テープ
１１…ロール部
１２…引出部
２１…回転部
２２…テープ保持部
２６…収容部
２７…開放部
２８Ｆ，２８Ｓ…一対の対向部
２９…奥壁部
３１…湾曲面
３２…位置調整部
３５…弾性部
３６…当接部
【図１】
2018113206.tif 000003
【図２】
2018113206.tif 000004
【図３】
2018113206.tif 000005
【図４】
2018113206.tif 000006
【図５】
2018113206.tif 000007
【図６】
2018113206.tif 000008
【図７】
2018113206.tif 000009